(57)【要約】【課題】組立時における光学的調整を可能としながらも、成形時の不具合を抑制しつつ更に外観品質に優れたレンズ鏡胴及びそれを用いた撮像装置を提供する。【解決手段】直進筒１０４の物体側端部外周には、光軸直交方向内側にシフトした段部１０４ｃが形成されているので、ボス部１０４ｄを一体的に形成した場合でも直進筒１０４の肉厚の均一化を図ることが出来、成形時におけるヒケや色ムラなどの不具合を抑制できる。更に、段部１０４ｃに、別部品としての化粧部材１１０を取り付け可能となっているので、かかる化粧部材１１０を取り付けることで、段部１０４ｃの存在を目立たなくさせることが出来、ズームレンズ鏡胴１００の外観品質を確保できる。【選択図】図４
2016109750.tif 000002
【特許請求の範囲】
【請求項１】
最も物体側に配置されるレンズ群と、前記レンズ群を保持する枠部材と、前記枠部材を取り付ける樹脂製の筒部材とを有するレンズ鏡胴であって、
前記筒部材の内周には、光軸直交方向内側に突出したボス部が一体的に形成されており、前記ボス部に形成されたねじ孔に対して光軸に沿って物体側から挿通したねじ部材を用いて、前記枠部材を前記筒部材のボス部に取り付けるようになっており、
前記ボス部の光軸直交方向外側に位置する前記筒部材の外周の一部は、それに隣接する前記外周に対して光軸直交方向内側にシフトしており、シフトした前記外周の一部に、別部品を取り付け可能となっていることを特徴とするレンズ鏡胴。
【請求項２】
前記別部品は、光軸方向に物体側から見て少なくとも前記ねじ部材を覆う化粧部材であることを特徴とする請求項１に記載のレンズ鏡胴。
【請求項３】
前記別部品は、光学フィルタを取り付ける為の部材であることを特徴とする請求項１又は２に記載のレンズ鏡胴。
【請求項４】
前記別部品は、レンズキャップを取り付ける為の部材であることを特徴とする請求項１又は２に記載のレンズ鏡胴。
【請求項５】
前記外周の一部には雄ねじ部が形成され、前記別部品には雌ねじ部が形成され、前記雄ねじ部と前記雌ねじ部とを螺合させることで、前記別部品が前記筒部材に取り付けられることを特徴とする請求項１〜４のいずれかに記載のレンズ鏡胴。
【請求項６】
前記別部品の外周と、前記シフトした外周の一部に隣接する前記筒部材の外周とは面一であることを特徴とする請求項１〜５のいずれかに記載のレンズ鏡胴。
【請求項７】
前記枠部材と前記ボス部との間に、所定の厚さの板部材を配置することで、光軸に対する前記枠部材の傾きを調整可能となっていることを特徴とする請求項１〜６のいずれかに記載のレンズ鏡胴。
【請求項８】
最も物体側に配置されるレンズ群と、前記レンズ群を保持する枠部材と、前記枠部材を取り付ける樹脂製の筒部材とを有するレンズ鏡胴であって、
前記筒部材は、光軸直交方向内側に突出した凸状部に、光軸に沿って延在する溝を形成しており、
前記溝に沿って物体側から挿通し、且つ前記凸状部の像側に配置されたナット部材に係合させたねじ部材を用いて、前記枠部材が前記筒部材の凸状部に取り付けられていることを特徴とするレンズ鏡胴。
【請求項９】
前記筒部材の端部内周には雌ねじ部が形成されており、光学フィルタ又はレンズキャップを取り付ける為の別部品に形成された雄ねじ部と、前記雌ねじ部とを螺合させることで、前記別部品が前記筒部材に取り付けられることを特徴とする請求項８に記載のレンズ鏡胴。
【請求項１０】
前記枠部材と前記凸状部との間に、所定の厚さの板部材を配置することで、光軸に対する前記枠部材の傾きを調整可能となっていることを特徴とする請求項８又は９に記載のレンズ鏡胴。
【請求項１１】
請求項１〜１０のいずれかに記載のレンズ鏡胴を有することを特徴とする撮像装置。
【発明の詳細な説明】
【技術分野】
【０００１】
本発明は、レンズ鏡胴及び撮像装置に関する。
【背景技術】
【０００２】
複数のレンズ群を有するレンズ鏡胴の組立時における光学的調整の一つとして、レンズ鏡胴の光軸に対してレンズ群を傾けるチルト調整がある。チルト調整は、最も物体側に配置されたレンズ群か最も像側に配置されたレンズ群の光軸を、それ以外のレンズ群の光軸に対して傾けることが構造上有利とされている。例えば特許文献１に開示されたチルト調整では、最も物体側の第１レンズ群を傾けるようにしている。具体的には、第１レンズ群を保持するレンズ枠と、このレンズ枠に対して光軸方向に対向する筒部材の端部との間における周方向の複数位置に、規定厚さのワッシャを介在させることで、チルト調整が行われており、このレンズ枠と筒部材の端部とは、ワッシャを挿通するビスにより締結されている。
【先行技術文献】
【特許文献】
【０００３】
【特許文献１】特開２００５−７７４２７号公報
【発明の概要】
【発明が解決しようとする課題】
【０００４】
ここで、特許文献１の従来技術によれば、ビスを螺合させるねじ孔を形成するために、筒部材の物体側端部の肉厚を増大しているので、レンズ鏡筒の外形が大きくなるという問題がある。又、物体側端部の肉厚の増大により、筒部材を樹脂で成形する際にヒケや色ムラなどを生じさせる恐れもある。
【０００５】
本発明は、上述の課題を解決することを目的としたものであり、組立時における光学的調整を可能としながらも、成形時の不具合を抑制しつつ更に外観品質に優れたレンズ鏡胴及びそれを用いた撮像装置を提供することを目的とする。
【課題を解決するための手段】
【０００６】
請求項１に記載のレンズ鏡胴は、最も物体側に配置されるレンズ群と、前記レンズ群を保持する枠部材と、前記枠部材を取り付ける樹脂製の筒部材とを有するレンズ鏡胴であって、
前記筒部材の内周には、光軸直交方向内側に突出したボス部が一体的に形成されており、前記ボス部に形成されたねじ孔に対して光軸に沿って物体側から挿通したねじ部材を用いて、前記枠部材を前記筒部材のボス部に取り付けるようになっており、
前記ボス部の光軸直交方向外側に位置する前記筒部材の外周の一部は、それに隣接する前記外周に対して光軸直交方向内側にシフトしており、シフトした前記外周の一部に、別部品を取り付け可能となっていることを特徴とする。
【０００７】
本発明によれば、前記ボス部に形成されたねじ孔に対して光軸に沿って物体側から挿通したねじ部材を用いて、前記枠部材を前記筒部材のボス部に取り付けるようになっているので、例えば前記ねじ部材に適切な厚さのワッシャを挿通して前記ねじ孔に螺合させることで、前記枠部材に保持された前記レンズ群のチルト調整を行うことができる。又、前記ボス部の光軸直交方向外側に位置する前記筒部材の外周の一部は、それに隣接する前記外周に対して光軸直交方向内側にシフトしているので、前記ボス部を一体的に形成した場合でも前記筒部材の肉厚の均一化を図ることが出来、成形時におけるヒケや色ムラなどの不具合を抑制できる。更に、シフトした前記外周の一部に、別部品を取り付け可能となっているので、かかる別部品を取り付けることで、シフトした前記外周の一部の段差を目立たなくさせることが出来、前記レンズ鏡胴の外観品質を確保できる。
【０００８】
請求項２に記載のレンズ鏡胴は、請求項１に記載の発明において、前記別部品は、光軸方向に物体側から見て少なくとも前記ねじ部材を覆う化粧部材であることを特徴とする。
【０００９】
シフトした前記外周の一部に、前記化粧部材を取り付けることで、少なくとも前記ねじ部材を外部から視認不能とすると共に、シフトした前記外周の一部の段差を目立たなくさせることが出来、前記レンズ鏡胴の外観品質を向上できる。
【００１０】
請求項３に記載のレンズ鏡胴は、請求項１又は２に記載の発明において、前記別部品は、光学フィルタを取り付ける為の部材であることを特徴とする。
【００１１】
シフトした前記外周の一部に、光学フィルタを取り付ける為の部材を組み付けることで、前記光学フィルタを用いて前記レンズ鏡胴の光学性能を向上させると共に、シフトした前記外周の一部の段差を目立たなくさせることが出来、前記レンズ鏡胴の外観品質を向上できる。
【００１２】
請求項４に記載のレンズ鏡胴は、請求項１に記載の発明において、前記別部品は、レンズキャップを取り付ける為の部材であることを特徴とする。
【００１３】
シフトした前記外周の一部に、レンズキャップを取り付ける為の部材を組み付けることで、前記レンズキャップにより外部からの異物が前記レンズ群に付着して汚染したり、外力により前記レンズ群が破損する恐れを抑制できると共に、シフトした前記外周の一部の段差を目立たなくさせることが出来、前記レンズ鏡胴の外観品質を向上できる。
【００１４】
請求項５に記載のレンズ鏡胴は、請求項１〜４のいずれかに記載の発明において、前記外周の一部には雄ねじ部が形成され、前記別部品には雌ねじ部が形成され、前記雄ねじ部と前記雌ねじ部とを螺合させることで、前記別部品が前記筒部材に取り付けられることを特徴とする。
【００１５】
これにより前記別部品を前記筒部材にしっかりと固定することができる。
【００１６】
請求項６に記載のレンズ鏡胴は、請求項１〜５のいずれかに記載の発明において、前記別部品の外周と、前記シフトした外周の一部に隣接する前記筒部材の外周とは面一であることを特徴とする。
【００１７】
これにより、前記別部品を取り付けることで、シフトした前記外周の一部の段差を目立たなくさせることが出来、前記レンズ鏡胴の外観品質を向上できる。
【００１８】
請求項７に記載のレンズ鏡胴は、請求項１〜６のいずれかに記載の発明において、前記枠部材と前記ボス部との間に、所定の厚さの板部材を配置することで、光軸に対する前記枠部材の傾きを調整可能となっていることを特徴とする。
【００１９】
これにより、前記枠部材に保持された前記レンズ群のチルト調整を適切に行うことができる。
【００２０】
請求項８に記載のレンズ鏡胴は、最も物体側に配置されるレンズ群と、前記レンズ群を保持する枠部材と、前記枠部材を取り付ける樹脂製の筒部材とを有するレンズ鏡胴であって、
前記筒部材は、光軸直交方向内側に突出した凸状部に、光軸に沿って延在する溝を形成しており、
前記溝に沿って物体側から挿通し、且つ前記凸状部の像側に配置されたナット部材に係合させたねじ部材を用いて、前記枠部材が前記筒部材の凸状部に取り付けられていることを特徴とする。
【００２１】
本発明によれば、前記溝に沿って物体側から挿通し、且つ前記凸状部の像側に配置されたナット部材に係合させたねじ部材を用いて、前記枠部材が前記筒部材の凸状部に取り付けられているので、例えば前記ねじ部材に適切な厚さのワッシャを挿通して前記ナット部材に締結することで、前記枠部材に保持された前記レンズ群のチルト調整を行うことができる。前記筒部材は、光軸直交方向内側に突出した凸状部に、光軸に沿って延在する溝を形成しているので、スライド金型を用いて前記凸状部を前記筒部材と一体的に形成でき、更に前記凸状部の肉厚を比較的薄く形成できるから、その結果として前記凸状部の肉厚と前記筒部材の肉厚とで均一化を図れるため、成形時におけるヒケや色ムラなどの不具合を抑制できる。加えて、前記筒部材の外周には段差などが不要であるから成形時に面一とでき、前記レンズ鏡胴の外観品質を確保できる。
【００２２】
請求項９に記載のレンズ鏡胴は、請求項８に記載の発明において、前記筒部材の端部内周には雌ねじ部が形成されており、光学フィルタ又はレンズキャップを取り付ける為の別部品に形成された雄ねじ部と、前記雌ねじ部とを螺合させることで、前記別部品が前記筒部材に取り付けられることを特徴とする。
【００２３】
これにより、例えば光学フィルタ又はレンズキャップを取り付ける為の前記別部品を、ねじ締結によって前記筒部材の端部内周に取り付けることができるにもかかわらず、前記筒部材を前記スライド金型を用いて成形することができる。
【００２４】
請求項１０に記載のレンズ鏡胴は、請求項７又は８に記載の発明において、前記枠部材と前記凸状部との間に、所定の厚さの板部材を配置することで、光軸に対する前記枠部材の傾きを調整可能となっていることを特徴とする。
【００２５】
これにより、前記枠部材に保持された前記レンズ群のチルト調整を適切に行うことができる。
【００２６】
請求項１１に記載の撮像装置は、請求項１〜１０のいずれかに記載のレンズ鏡胴を有することを特徴とする。
【００２７】
本明細書において、「物体側」とは、レンズ鏡胴を撮像装置に取り付けた状態での被写体側をいい、「像側」とは、レンズ鏡胴を撮像装置に取り付けた状態での撮像面側をいう。又、「光学フィルタ」とは、偏光フィルタやＮＤフィルタなど、レンズ鏡胴に取り付けられて通過する被写体光に対して所定の光学機能を発揮できるものをいうが、素通しの平行平板であっても良い。
【発明の効果】
【００２８】
本発明によれば、組立時における光学的調整を可能としながらも、成形時の不具合を抑制しつつ更に外観品質に優れたレンズ鏡胴及びそれを用いた撮像装置を提供することができる。
【図面の簡単な説明】
【００２９】
【図１】本実施の形態に係るズームレンズ鏡胴を備えた撮像装置の一例であるデジタルカメラの外観図である。
【図２】第１の実施の形態にかかるズームレンズ鏡胴(レンズ鏡胴ともいう)１００の斜視図である。
【図３】第１の実施の形態にかかるズームレンズ鏡胴１００の光軸方向断面図である。
【図４】直進筒１０４の物体側端部近傍の光軸方向断面図である。
【図５】図４の構成をV-V線で切断して矢印方向に見た図である。
【図６】第１の比較例にかかる図４と同様な断面図である。
【図７】第２の比較例にかかる図４と同様な断面図である。
【図８】フィルタの代わりに、化粧部材１１０にレンズキャップ１１２を取り付けた変形例を示す図４と同様な断面図である。
【図９】第２の実施の形態にかかる直進筒１０４’の端部形状を示す断面図である。
【図１０】第３の実施の形態にかかる直進筒１０４”を物体側から見た端部形状を示す図である。
【図１１】図１０の矢印XIで示す部位を拡大して示す図である。
【図１２】第３の実施の形態にかかるズームレンズ鏡胴の端部周囲を示す断面図である。
【図１３】図１２の矢印XIIIで示す部位を拡大して示す図である。
【発明を実施するための形態】
【００３０】
以下、本発明の実施の形態を、図面を参照して説明する。図１は、本実施の形態に係るズームレンズ鏡胴を備えた撮像装置の一例であるデジタルカメラの外観図である。図１（ａ）は、デジタルカメラ１の前面図であり、図１（ｂ）は背面図である。
【００３１】
図１に示す様に、デジタルカメラ１は、ズームレンズ鏡胴と撮像素子を有する撮像部２、及び、カメラ本体部３よりなる。
【００３２】
撮像部２は、ズーム動作可能なズームレンズ鏡胴及びＣＣＤ等の固体撮像素子からなり、ズームレンズ鏡胴を介して結像された被写体像を固体撮像素子で画像信号に変換できる。
【００３３】
カメラ本体部３は、ＬＣＤ（Ｌｉｑｕｉｄ Ｃｒｙｓｔａｌ Ｄｉｓｐｌａｙ；液晶表示素子）からなるＬＣＤ表示部６、ＥＶＦ（Ｅｌｅｃｔｒｏｎｉｃ Ｖｉｅｗ Ｆｉｎｄｅｒ；電子ビューファインダ）７、デジタルカメラ１を図示しないパーソナルコンピュータに接続する外部接続端子を有しており、撮像部２で取り込まれた画像信号に所定の信号処理を施し、ＬＣＤ表示部６やＥＶＦ７への画像表示、不図示のメモリカードなどの記録媒体への画像記録、あるいはパーソナルコンピュータへの画像の転送といった処理を行う。
【００３４】
カメラ本体部３の前面には、上部適所にフラッシュ発光部４が設けられている。また、カメラ本体部３の背面には撮影画像の表示や記録画像の再生表示を行うＬＣＤ表示部６とＥＶＦ７が設けられている。
【００３５】
カメラ本体部３の上面には、シャッタボタン５と、シャッタボタン５の近くに「記録モード」と「再生モード」とを切換設定する、不図示の撮影モード切換スイッチが設けられている。記録モードは、撮影待機状態から露光制御のプロセスを経て撮影にいたる写真撮影を行うモードであり、再生モードは、メモリカードに記録された撮影画像をＬＣＤ表示部６やＥＶＦ７に再生表示するモードである。
【００３６】
カメラ本体部３の背面には、再生画像のコマ送りや、撮影時にズーム操作を行うための再生コマ送りスイッチ／ズームスイッチ９が設けられている。再生コマ送りスイッチ／ズームスイッチ９における再生画像のコマ送りとは、カメラを再生モードに設定しメモリカード１３に記録された画像をコマ番号とともにＬＣＤ表示部６に順次表示する様にしたものである。なお、ＬＣＤ表示部６への画像表示を昇順方向（撮影順の方向）若しくは降順方向（撮影順と逆の方向）に変更指示することも可能である。また、撮影時のズーム操作は、再生コマ送りスイッチ／ズームスイッチ９を操作することにより、ズームレンズである撮像光学系をテレ方向若しくはワイド方向に変倍させる。
【００３７】
さらに、カメラ本体部３の背面には、画像表示を行うためのＬＣＤ表示部６とＥＶＦ７とを選択するＥＶＦ切換スイッチ８が設けられている。
【００３８】
また、カメラ本体部３の底面内部には、デジタルカメラ１の動作用電源としての電池（図示せず）が設けられている。
【００３９】
図２は、第１の実施の形態にかかるズームレンズ鏡胴(レンズ鏡胴ともいう)１００の斜視図であり、フィルタを外した状態で示す。図３は、本実施の形態にかかるズームレンズ鏡胴１００の光軸方向断面図である。本実施の形態にかかるズームレンズ鏡胴１００を、５群構成のズームレンズを例にして説明する。ズームレンズ鏡胴１００は、図３において物体側から順に，レンズＬ１，Ｌ２，Ｌ３からなる第１レンズ群Ｇ１と、レンズＬ４，Ｌ５，Ｌ６，Ｌ７からなる第２レンズ群Ｇ２と、可変絞り羽根ＢＲを有するシャッタ装置ＳＨ、固定レンズＬ８，Ｌ９，Ｌ１０及び調整レンズＬ１１，Ｌ１２からなる第３レンズ群Ｇ３と、レンズＬ１３からなる第４レンズ群Ｇ４と、レンズＬ１４からなる第５レンズ群Ｇ５とから構成されている。本実施の形態では、第５レンズ群Ｇ５が固定されており、第１レンズ群Ｇ１、第２レンズ群Ｇ２、第３レンズ群Ｇ３、第４レンズ群Ｇ４は、互いの群間距離を変化させながら光軸ＯＡの方向に移動してズーミングを行うようになっている。また、第４レンズ群Ｇ４は独立して光軸ＯＡの方向に移動してフォーカシングも行うようになっている。第３レンズ群Ｇ３の一部となるシャッタ装置ＳＨは、可変絞り羽根ＢＲを駆動することで、任意の開口径の絞りを形成できるようになっている。
【００４０】
図３を参照して、カメラ本体部３に固定される地板１０１は、中央に円筒部１０１ａを形成しており、その内周に第５レンズ群Ｇ５を保持している。レンズ群Ｇ１〜Ｇ５を通過し、円筒部１０１ａ内を通過した被写体光は、カメラ本体部３に取り付けられた固体撮像素子の撮像面に結像されるようになっている。
【００４１】
地板１０１の物体側に、固定筒１０２の端部が同軸に固定されている。固定筒１０２の周囲には、回転可能にカム筒１０３が取り付けられており、物体側端部近傍に形成された円周溝１０３ａに、それに対応して固定筒１０２に形成された突起１０２ａが係合しており、これによりカム筒１０３は固定筒１０２に対して光軸方向移動が規制され、回転のみ可能となっている。カム筒１０３の像側端外周には、ギヤ１０３ｂが形成されており、不図示のモータのピニオンが噛合している。
【００４２】
固定筒１０２の物体側端外周には、ピン１０２ｂが径方向外方に突出するように形成されている。一方、カム筒１０３の周囲に配置された直進筒１０４の内周には，光軸ＯＡ方向に延在するように直進溝１０４ａが形成されており、ここに固定筒１０２のピン１０２ｂが係合している。よって、直進筒１０４は、固定筒１０２により回転を規制され、光軸方向にのみ移動可能となっている。直進筒１０４の物体側端部構成については、図４，５を参照して詳細に後述する。
【００４３】
カム筒１０３の外周には、第１カム溝１０３ｃが形成されており、ここに直進筒１０４の像側端近傍内周に設けられた第１カムフォロワ１０４ｂが係合している。又、カム筒１０３の内周には、第２カム溝１０３ｄが形成されており、ここに、第２レンズ群Ｇ２を保持する第２ホルダ１０７の外周より突出して設けた第２カムフォロワ１０７ａが係合している。第２カムフォロワ１０７ａは、その内方端が第２ホルダ１０７に形成された孔１０７ｂ内に挿入されており、孔１０７ｂ内に配置されたバネ部材１０７ｃにより径方向外側に押し出されるように付勢されている。更に、カム筒１０３の内周には、第３カム溝１０３ｅが形成されており、ここに、第３レンズ群Ｇ３の固定レンズＬ８，Ｌ９，Ｌ１０を保持する第３ホルダ１０８の外周に設けた第３カムフォロワ１０８ａが係合している。第４レンズ群Ｇ４は、第４ホルダ１０９により保持されている。尚、第２ホルダ１０７，第３ホルダ１０８，第４ホルダ１０９は、図２では不図示のガイドシャフトにより回転を規制されて、光軸方向に案内されて移動可能となっている。
【００４４】
第３カムフォロワ１０８ａは、その内方端が第３ホルダ１０８に形成した孔１０８ｂ内に挿入されており、孔１０８ｂ内に配置されたバネ部材１０８ｈにより、第３カムフォロワ１０８ａが径方向外側に押し出されるように付勢されている。第３カムフォロワ１０８ａは、固定筒１０２の周壁に形成された光軸方向に長いスリット１０２ｃを通過して第３カム溝１０３ｅに係合している。
【００４５】
図４は、直進筒１０４の物体側端部近傍の断面図であり、図５は、図４の構成をV-V線で切断して矢印方向に見た図である。図４において、樹脂製の筒部材である直進筒１０４の物体側端部外周には、光軸直交方向内側にシフトするように一段小径化した段部１０４ｃが形成されている。段部１０４ｃの内周には、図５に示すように周方向に等間隔で６個のボス部１０４ｄが、光軸直交方向内側に突出するように一体的に形成されている。つまり、ボス部１０４ｄの光軸直交方向外側に、段部１０４ｃが形成されていることとなる。
【００４６】
ボス部１０４ｄには、物体側(図４で左方)より光軸に平行に延在するねじ孔１０４ｅが形成されている。ねじ孔１０４ｅは、成形等によって径の小さい下穴を形成した後、後述するボルトＢＴをねじ込む際にセルフタッピングされてなる。第１レンズ群Ｇ１を保持する第１ホルダ(枠部材)１０５の外周には、図５に示すように等間隔で３個の板状の凸部１０５ａが光軸直交方向外方に突出して形成されている。各凸部１０５ａには、孔１０５ｂが形成されている。
【００４７】
組み付け時のチルト調整において、不図示の測定装置にズームレンズ鏡胴１００をセットした状態で、第１レンズ群Ｇ１の調整量を求め、適切な厚さのワッシャ(板部材)ＷＳを選定して、各凸部１０５ａとボス部１０４ｄとの間に挿入した上で、孔１０５ｂ及びワッシャＷＳを挿通したボルト(ねじ部材)ＢＴをねじ孔１０４ｅに螺合させ締め付ける。これによりチルト調整を行うと共に、第１ホルダ１０５を直進筒１０４に取り付けることができる。
【００４８】
図４において、直進筒１０４の物体側端部には、化粧部材１１０が組み付けられる。具体的に、化粧部材１１０は、円筒状の本体１１０ａと、本体１１０ａの中間部内周から光軸直交方向内方に突出してなり図５に示すように等間隔で３個の板状の突起１１０ｂと、本体１１０ａの物体側端部近傍で光軸直交方向内方に突出した支持部１１０ｃと、支持部１１０ｃに接着された環状板１１０ｄとを有する。各突起１１０ｂには孔１１０ｅが形成されており、また本体１１０ａの物体側端部内周には、雌ねじ部１１０ｆが形成されている。
【００４９】
化粧部材１１０を、第１ホルダ１０５を組み付けた直進筒１０４に対して光軸方向物体側から挿入してゆくと、本体１１０ａの像側端部が直進筒１０４の段部１０４ｃに嵌合する。かかる状態で、孔１０４ｆを挿通したボルトＢＴをボス部１０４ｄのねじ孔１０４ｅに螺合させ締め付ける。これにより化粧部材１１０を直進筒１０４に取り付けることができる。かかる状態では、環状板１１０ｄが、６本のボルトＢＴの物体側に位置するので、外部からボルトＢＴを視認できず、これにより外観品質を向上できる。又、化粧部材１１０を組み付けた状態で、本体１１０ａの外周と、直進筒１０４の外周とが面一になるので、更に外観品質を向上できる。
【００５０】
化粧部材１１０には、フィルタを取り付けることができる。図４において、フィルタ枠１１１は、大円筒部１１１ａと、小円筒部１１１ｂとを軸線方向に連結した形状を有しており、小円筒部１１１ｂ内に、フィルタの一例として円形の平行平板である偏光フィルタＰＬを保持している。小円筒部１１１ｂの外周には雄ねじ部１１１ｃが形成されており、かかる雄ねじ部１１１ｃを、本体１１０ａの雌ねじ部１１０ｆに螺合させることで、フィルタ枠１１１を化粧部材１１０に取り付けることができる。
【００５１】
ここで、比較例を例にとり、本実施の形態の利点について説明する。図６は、第１の比較例にかかる図４と同様な断面図である。第１の比較例においては、直進筒１０４Ａの物体側端部外周に段部が形成されておらず、化粧部材１１０の本体１１０ａは、直進筒１０４Ａの端部内周に嵌合している。
【００５２】
第１の比較例によれば、ボス部１０４ｄの位置で直進筒１０４Ａの肉厚が増大し、これにより金型を用いて成形する際に、肉厚が不均一であることに起因してヒケや色ムラなどの不具合を生じさせる恐れがある。
【００５３】
図７は、第２の比較例にかかる図４と同様な断面図である。第１の比較例に対して第２の比較例は、直進筒１０４Ｂの内周よりボス部１０４ｄの一部が離間するように、その間に環状のスリット１０４ｇを形成している点が異なっている。
【００５４】
このようにスリット１０４ｇを形成すれば、ボス部１０４ｄの肉厚が薄くなり、直進筒１０４の肉厚が均一化されるので、ヒケや色ムラなどの不具合を抑制できる。ところが、スリット１０４ｇを形成した分、ボス部１０４ｄの位置が光軸に近づいてしまうため、第１ホルダ１０５との干渉の恐れがある。かかる干渉を回避するためには直進筒１０４Ｂを大径化しなくてはならず、ズームレンズ鏡胴の大型化を招くこととなる。
【００５５】
これに対し本実施の形態によれば、図４に示すように、直進筒１０４の物体側端部外周に、光軸直交方向内側にシフトした段部１０４ｃが形成されているので、ボス部１０４ｄを一体的に形成した場合でも直進筒１０４の肉厚の均一化を図ることが出来、成形時におけるヒケや色ムラなどの不具合を抑制できる。更に、段部１０４ｃに、別部品としての化粧部材１１０を取り付け可能となっているので、かかる化粧部材１１０を取り付けることで、段部１０４ｃの存在を目立たなくさせることが出来、ズームレンズ鏡胴１００の外観品質を確保できる。
【００５６】
図８は、フィルタの代わりに、化粧部材１１０にレンズキャップ１１２を取り付けた変形例を示す断面図である。レンズキャップ１１２は、円盤部１１２ａの外縁に光軸方向に延在する短いアーム部１１２ｂを一対設けた形状を有しており、更にアーム部１１２ｂの先端から光軸から離間するように向いた爪部１１２ｃを形成している。爪部１１２ｃを、アーム部１１２ｂの弾性力により付勢しつつ、本体１１０ａの雌ねじ部１１０ｆの一部に係合させることで、レンズキャップ１１２を化粧部材１１０に取り付けることができる。
【００５７】
本実施の形態にかかるズームレンズ鏡胴１００の動作について説明する。不図示のモータを駆動させることで、カム筒１０３が回転すると、第１カム溝１０３ｃに沿って第１カムフォロワ１０４ｂが摺動し、その際に受ける押圧力により直進筒１０４は光軸方向に移動するようになっている。又、カム筒１０３が回転すると、第２カム溝１０３ｄに沿って第２カムフォロワ１０７ａが摺動し、その際に受ける押圧力により第２ホルダ１０７が光軸方向に移動するようになっている。更に、カム筒１０３が回転すると、第３カム溝１０３ｅに沿って第３カムフォロワ１０８ａが摺動し、その際に受ける押圧力により第３ホルダ１０８が光軸方向に移動するようになっている。シャッタ装置ＳＨと、調整レンズＬ１１，Ｌ１２を保持する第５ホルダ１１８は、第３ホルダ１０８に連結されているので、これらは一体的に光軸方向に移動する。
【００５８】
更に不図示のアクチュエータに給電することで、第４ホルダ１０９が第４レンズ群Ｇ４と共に光軸方向に移動して、ズーム移動又はフォーカシングを行うようになっている。
【００５９】
第３ホルダ１０８に対して、第５ホルダ１１８が光軸直交方向に移動可能なように設けられており、不図示のコイルに通電することで電磁力が作用して、固定レンズＬ８，Ｌ９，Ｌ１０に対して調整レンズＬ１１，Ｌ１２を光軸直交方向へと移動させ、これにより手ブレ補正を行うようになっている。
【００６０】
図９は、第２の実施の形態にかかる直進筒１０４’の端部形状を示す断面図である。本実施の形態にかかる直進筒１０４’は、上述した実施の形態に対して、物体側端部外周に形成した段部１０４ｃの一部に雄ねじ部１０４ｈを形成している。又、直進筒１０４’の物体側端部は、ボス部１０４ｄより物体側に延在しており、その端部内周に環状板１１０ｄを接着している。ここでは、ボス部１０４ｄは周方向に等間隔で３つ設けられている。
【００６１】
図９(ａ)の例では、物体側端部内周に環状部１１４ａを形成した中間筒１１４を、直進筒１０４’に連結している。具体的には、中間筒１１４の像側端部内周に形成した雌ねじ部１１４ｂを、段部１０４ｃの雄ねじ部１０４ｈに螺合させることで、中間筒１１４を直進筒１０４’に取り付けている。この中間筒１１４は、レンズキャップを取り付ける為の支持部になる。
【００６２】
図９（ｂ）に、中間筒１１４にレンズキャップ１１５を取り付けた状態で示している。レンズキャップ１１５は、円盤部１１５ａの外周近傍に、像側に向かって延在する鈎状の係合部１１５ｂを有している。レンズキャップ１１５を取り付ける際は、係合部１１５ｂを光軸側に押し込むようにすることで弾性変形して環状部１１４ａの内側を通過できるようになり、その後係合部１１５ｂが元の位置に復帰することで環状部１１４ａに係合し、レンズキャップ１１５の脱落が回避される。
【００６３】
更に図９(ｃ)の例では、大径部１１３ａと小径部１１３ｂとを直列に連結した中間筒１１３を、同じ直進筒１０４’に連結している。具体的には、中間筒１１３の小径部１１３ｂの端部内周に形成した雌ねじ部１１３ｃを、段部１０４ｃの雄ねじ部１０４ｈに螺合させることで、中間筒１１３を直進筒１０４に取り付けている。又、中間筒１１３の大径部１１３ａの内周に形成した雌ねじ部１１３ｄに、フィルタ枠１１１’のアーム部１１１ｄの先端に形成された爪部１１１ｅを雄ねじ部１１１ｃの一部に係合させることで、偏光フィルタＰＬを保持するフィルタ枠１１１を直進筒１０４’に取り付けている。
【００６４】
尚、直進筒１０４’を射出成形等によって形成する際に、ボス部１０４ｄに形成した下穴の延在方向と、雄ねじ部１０４ｈの張り出し方向が交差しているので、一方向に離型する金型では成形することができない。そこで、本実施の形態の直進筒１０４は、スライド金型を用いて成形することができる。スライド金型についてはよく知られているので、説明を省略する。
【００６５】
図１０は、第３の実施の形態にかかる直進筒１０４”を物体側から見た端部形状を示す図である。図１１は、図１０の矢印XIで示す部位を拡大して示す図である。図１２は、第３の実施の形態にかかるズームレンズ鏡胴の端部周囲を示す断面図である。図１３は、図１２の矢印XIIIで示す部位を拡大して示す図である。
【００６６】
図１０、１２に示すように、直進筒１０４”は、その内周から光軸直交方向内側に突出するように形成されたフランジ部(凸状部)１０４ｊを形成してなる。フランジ部１０４jの内周には、Ｕ字溝１０４ｋが周方向に等間隔に３箇所、形成されている。フランジ部１０４ｊの肉厚は、それ以外の直進筒１０４"の肉厚にほぼ等しい。直進筒１０４”と組み合わせて用いられる金属製のナット部材１０４ｍは、図１４に示すように、雌ねじ孔を有する中空筒状の本体１０４ｎと、板状のフランジ部１０４ｐとから一体的に形成されてなる。Ｕ字溝１０４ｋの内部には、本体１０４ｎが装着され、フランジ部１０４ｐはフランジ部１０４ｊの像側に配置される。
【００６７】
更に、図１２に示す符号１０４ｑは、直進筒１０４"の内周に形成されたリブである。これに当接するようにして、円板状の化粧部材１１０が接着固定されている。尚、図１２から明らかであるが、直進筒１０４”の外周には段部が形成されておらず、物体側端部内周に雌ねじ部１０４ｔが形成されており、その近傍に化粧部材１１０の環状板１１０ｄが配置されている。直進筒１０４"の雌ねじ部１０４ｔに、図４に示すものと同様なフィルタ枠１１１の雄ねじ部１１１ｃを螺合させることで、偏光フィルタＰＬを保持するフィルタ枠１１１を直進筒１０４”に取り付けている。本実施の形態においては、直進筒１０４”の物体側端部外周に段差などが不要であるから成形時に外周を面一とでき、レンズ鏡胴の外観品質を確保できる。それ以外の構成は上述した実施の形態と同様である。フィルタの代わりにレンズキャップを取り付けても良い。
【００６８】
組み付け時のチルト調整において、不図示の測定装置にズームレンズ鏡胴１００をセットした状態で、第１レンズ群Ｇ１の調整量を求め、図１２，１３に示すように、適切な厚さのワッシャ(板部材)ＷＳを選定して、第１ホルダ１０５の各凸部１０５ａとフランジ部１０４ｊとの間に挿入した上で、凸部１０５ａの孔１０５ｂ及びワッシャＷＳを挿通したボルトＢＴをＵ字溝１０４ｋに挿入し、ナット部材１０４ｍに螺合させ締め付ける。ボルトＢＴの締め付けによりナット部材１０４ｍは物体側に付勢されるが、フランジ部１０４ｐがＵ字溝１０４ｋの周囲に当接して引っかかるので、Ｕ字溝１０４ｋから抜け出ることなく、よって第１ホルダ１０５を直進筒１０４に取り付けることができる。Ｕ字溝１０４ｋを設けたことにより、直進筒１０４”もスライド金型によって形成できる。本実施の形態によれば、ねじ孔の代わりにＵ字溝１０４ｋを形成したので、第１ホルダ１０５の取り付け部（穴）と、雌ねじ部１０４ｔの機能の両方を、直進筒１０４”に持たせられる様になった。
【００６９】
本発明は、明細書に記載の実施例に限定されるものではなく、他の実施例・変形例を含むことは、本明細書に記載された実施例や思想から本分野の当業者にとって明らかである。明細書の記載及び実施例は、あくまでも例証を目的としており、本発明の範囲は後述するクレームによって示されている。
【符号の説明】
【００７０】
１            デジタルカメラ
２            撮像部
３            カメラ本体部
４            フラッシュ発光部
５            シャッタボタン
６            表示部
８            切換スイッチ
９            ズームスイッチ
１３            メモリカード
１００            ズームレンズ鏡胴
１０１            地板
１０１ａ          円筒部
１０２            固定筒
１０２ａ          突起
１０２ｂ          ピン
１０２ｃ          スリット
１０３            カム筒
１０３ａ          円周溝
１０３ｂ          ギヤ
１０３ｃ          カム溝
１０３ｄ          カム溝
１０３ｅ          カム溝
１０４、１０４’、１０４”直進筒
１０４            直進筒
１０４ａ          直進溝
１０４ｂ          カムフォロワ
１０４ｃ          段部
１０４ｄ          ボス部
１０４ｅ          ねじ孔
１０４ｆ          孔
１０４ｇ          スリット
１０４ｈ          雄ねじ部
１０４ｊ          フランジ部
１０４ｋ          Ｕ字溝
１０４ｍ          ナット部材
１０４ｎ          本体
１０４ｐ          フランジ部
１０４ｑ          リブ
１０４ｔ          雌ねじ部
１０５            第１ホルダ
１０５ａ          凸部
１０５ｂ          孔
１０７            第２ホルダ
１０７ａ          カムフォロワ
１０７ｂ          孔
１０７ｃ          バネ部材
１０８            第３ホルダ
１０８ａ          カムフォロワ
１０８ｂ          孔
１０８ｈ          バネ部材
１０９            第４ホルダ
１１０            化粧部材
１１０ａ          本体
１１０ｂ          突起
１１０ｃ          支持部
１１０ｄ          環状板
１１０ｅ          孔
１１０ｆ          雌ねじ部
１１１            フィルタ枠
１１１ａ          大円筒部
１１１ｂ          小円筒部
１１１ｃ          雄ねじ部
１１２、１１２’      レンズキャップ
１１２ａ          円盤部
１１２ｂ          アーム部
１１２ｃ          爪部
１１３            中間筒
１１３ａ          大径部
１１３ｂ          小径部
１１３ｃ          雄ねじ部
１１３ｄ          雌ねじ部
１１４            中間筒
１１４ａ          環状部
１１４ｂ          雌ねじ部
１１５            レンズキャップ
１１５ａ          円盤部
１１５ｂ          係合部
１１８            第５ホルダ
ＢＲ            羽根
ＢＴ            ボルト
Ｇ１-Ｇ５        レンズ群
Ｌ１−Ｌ１０        レンズ
ＭＤ１−ＭＤ３        金型
ＭＤ２            金型
ＭＤ３            金型
ＭＤ３１          主スライド部材
ＭＤ３２          副スライド部材
ＯＡ            光軸
ＰＬ            偏光フィルタ
ＰＮ            転写部
ＳＣ            転写部
ＳＨ            シャッタ装置
ＷＬ            転写部
ＷＳ            ワッシャ
【図１】
2016109750.tif 000003
【図２】
2016109750.tif 000004
【図３】
2016109750.tif 000005
【図４】
2016109750.tif 000006
【図５】
2016109750.tif 000007
【図６】
2016109750.tif 000008
【図７】
2016109750.tif 000009
【図８】
2016109750.tif 000010
【図９】
2016109750.tif 000011
【図１０】
2016109750.tif 000012
【図１１】
2016109750.tif 000013
【図１２】
2016109750.tif 000014
【図１３】
2016109750.tif 000015